Podtech/llm-jp-corpus-v4-ja_patent huggingface dataset:
【手続補正書】
【提出日】平成19年10月12日(2007.10.12)
【手続補正１】
【補正対象書類名】特許請求の範囲
【補正対象項目名】請求項５
【補正方法】変更
【補正の内容】
【請求項５】
請求項１乃至請求項４のいずれかに記載の半導体装置の製造方法であって、
前記工程（ａ）の前に前記ゲート電極の側面に絶縁膜を形成する工程
をさらに備え、
前記工程（ａ）において、前記絶縁膜は前記ゲート電極と一体に前記第一酸化膜に覆われる
ことを特徴とする半導体装置の製造方法。
【手続補正２】
【補正対象書類名】図面
【補正対象項目名】図５
【補正方法】変更
【補正の内容】
【図５】
2006120814.tif 000001
【手続補正３】
【補正対象書類名】図面
【補正対象項目名】図９
【補正方法】変更
【補正の内容】
【図９】
2006120814.tif 000002
【手続補正４】
【補正対象書類名】図面
【補正対象項目名】図１１
【補正方法】変更
【補正の内容】
【図１１】
2006120814.tif 000003
【手続補正５】
【補正対象書類名】図面
【補正対象項目名】図１４
【補正方法】変更
【補正の内容】
【図１４】
2006120814.tif 000004
【手続補正６】
【補正対象書類名】図面
【補正対象項目名】図１７
【補正方法】変更
【補正の内容】
【図１７】
2006120814.tif 000005
【手続補正７】
【補正対象書類名】図面
【補正対象項目名】図１８
【補正方法】変更
【補正の内容】
【図１８】
2006120814.tif 000006
【手続補正書】
【提出日】平成19年7月25日(2007.7.25)
【手続補正１】
【補正対象書類名】明細書
【補正対象項目名】０００５
【補正方法】変更
【補正の内容】
【０００５】
従来のダイオードおよびそれを用いたＭＭＩＣやミキサの例は、例えば特許文献１〜５に開示されている。
【手続補正２】
【補正対象書類名】図面
【補正対象項目名】図４
【補正方法】変更
【補正の内容】
【図４】
2006120898.tif 000001
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
接地して設けられた接地コンデンサを含む複数の部品を無鉛フロー半田で基板に実装し、放電灯の点灯を制御する放電灯点灯装置であって、
前記接地コンデンサが、フィルムコンデンサであることを特徴とする放電灯点灯装置。
【請求項２】
前記接地コンデンサが、ＰＥＴフィルムコンデンサであることを特徴とする請求項１記載の放電灯点灯装置。
【請求項３】
前記接地コンデンサが、高耐熱ＰＰフィルムコンデンサであることを特徴とする請求項１記載の放電灯点灯装置。
【請求項４】
前記接地コンデンサが、厚さ１９μｍ以上のフィルムを備えることを特徴とする請求項１〜３のいずれか記載の放電灯点灯装置。
【請求項５】
前記接地コンデンサの電極が、５μｍ以上のアルミ箔からなることを特徴とする請求項１又は２記載の放電灯点灯装置。
【請求項６】
請求項１〜５のいずれか記載の放電灯点灯装置を内蔵することを特徴とする照明器具。
【請求項７】
請求項１〜５のいずれか記載の放電灯点灯装置を備えることを特徴とする照明システム。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
請求項６に記載の発明は、照明器具が、請求項１〜５のいずれかに記載の放電灯点灯装置を内蔵することを特徴とする。この構成では、接地コンデンサを無鉛フロー半田で基板に実装した場合であっても、周囲の温度上昇、自己発熱又は放電灯の浮遊容量の増加が発生したときに、接地コンデンサの容量の減少を抑えることができるので、浮遊容量による雑音を低減することができる。
【手続補正４】
【補正対象書類名】明細書
【補正対象項目名】００１６
【補正方法】変更
【補正の内容】
【００１６】
請求項７に記載の発明は、照明システムが、請求項１〜５のいずれかに記載の放電灯点灯装置を備えることを特徴とする。この構成では、接地コンデンサを無鉛フロー半田で基板に実装した場合であっても、周囲の温度上昇、自己発熱又は放電灯の浮遊容量の増加が発生したときに、接地コンデンサの容量の減少を抑えることができるので、浮遊容量による雑音を低減することができる。
【手続補正書】
【提出日】平成19年8月15日(2007.8.15)
【手続補正１】
【補正対象書類名】特許請求の範囲
【補正対象項目名】請求項１３
【補正方法】変更
【補正の内容】
【請求項１３】
前記固定電極及び前記可動電極の少なくとも一方の表面に形成された絶縁膜に略格子状の溝が設けられる、請求項４〜１２のいずれか１項に記載の静電リレー。
【手続補正書】
【提出日】平成19年10月1日(2007.10.1)
【手続補正１】
【補正対象書類名】特許請求の範囲
【補正対象項目名】全文
【補正方法】変更
【補正の内容】
【特許請求の範囲】
【請求項１】
蛍光ランプと；
蛍光ランプの中心軸またはその近傍に対向する対向面に形成された放熱孔、蛍光ランプに対向するように設けられる天板部およびこの天板部に蛍光ランプを介して対向する照射開口を有する反射板と；
平板部および平板部を囲む複数の側板部の内部に反射板を配設する一方、この反射板の照射開口側で開口する開口部、対向する上記一対の側板部の近傍の平板部に形成された取付穴、上記反射板の天板部にてその外面に当接するように突出し、反射板を取り付ける取付部が設けられた突部を有する器具本体と；
を具備していることを特徴とする照明器具。
【請求項２】
器具本体は、反射板の放熱孔と対向しない平板部の箇所に外部に開口する放熱開口を具備していることを特徴とする請求項１または２記載の照明器具。
【手続補正２】
【補正対象書類名】明細書
【補正対象項目名】０００９
【補正方法】変更
【補正の内容】
【０００９】
請求項１に係る発明は、蛍光ランプと；蛍光ランプの中心軸またはその近傍に対向する対向面に形成された放熱孔、蛍光ランプに対向するように設けられる天板部およびこの天板部に蛍光ランプを介して対向する照射開口を有する反射板と；平板部および平板部を囲む複数の側板部の内部に反射板を配設する一方、この反射板の照射開口側で開口する開口部、対向する上記一対の側板部の近傍の平板部に形成された取付穴、上記反射板の天板部にてその外面に当接するように突出し、反射板を取り付ける取付部が設けられた突部を有する器具本体と；を具備していることを特徴とする照明器具である。
【手続補正３】
【補正対象書類名】明細書
【補正対象項目名】００１０
【補正方法】変更
【補正の内容】
【００１０】
請求項２に係る発明は、器具本体は、反射板の放熱孔と対向しない平板部の箇所に外部に開口する放熱開口を具備していることを特徴とする請求項１または２記載の照明器具である。
【手続補正４】
【補正対象書類名】明細書
【補正対象項目名】００３７
【補正方法】変更
【補正の内容】
【００３７】
各ダボ１９，１９，１９，１９は天板部４ｂの内面上に、所定高さ突出して、その中心部には、取付部として、図１で示す反射板取付ねじ２０，２０…と、この取付ねじ２０…にねじ結合するねじ穴１９ａ，１９ａ…をそれぞれ形成している。なお、図３中符号２１は作業用の手挿入穴である。これは器具本体５を天井壁２に取り付けたり、所要の配線を行なう等の作業を行なう際に使用する比較的大きな穴である。また、符号２２は環形蛍光ランプ１０にほぼ沿って形成される複数の放熱開口である。
【手続補正５】
【補正対象書類名】明細書
【補正対象項目名】００５２
【補正方法】変更
【補正の内容】
【００５２】
また、この照明器具１によれば、反射板４の放熱孔２６の位置とは異なる位置にて、器具本体平板部６に放熱開口２２を形成しているので、これら器具本体３と反射板４の放熱開口２２，放熱孔２６を通して天井裏が目視できないうえに、これら放熱開口２２，放熱孔２６により放熱作用を一層促進することができる。
【手続補正６】
【補正対象書類名】明細書
【補正対象項目名】００５９
【補正方法】変更
【補正の内容】
【００５９】
また、器具本体３にも外部に開口する複数の放熱孔２２…を穿設しているので、この放熱開口２２…と、器具本体３および反射板天板部４ｂとの間隙ｇと、反射板天板部４ｂの放熱孔２６…とを介して、環形蛍光ランプ１０が収容される反射板４の内部を外部に連通させることができる。
【手続補正７】
【補正対象書類名】明細書
【補正対象項目名】００６４
【補正方法】変更
【補正の内容】
【００６４】
１…照明器具、２…天井壁、３…器具本体、４…反射板、４ａ…反射板の照射開口端、４ｂ…反射板の天板部、４ｃ…反射板の側板部、４ｄ…反射板の反射面、６…器具本体の平板部、６ａ〜６ｄ…器具本体の側板部、８…ランプソケット、９…点灯装置、１０…環形蛍光ランプ、１１…環形蛍光ランプの口金、１３ａ，１３ｂ…アクセサリー取付金具、１４ａ，１４ｂ…ワイヤーＶばね、１５ａ，１５ｂ…取付穴、１６ａ，１６ｂ…吊りボルト、１７…電源端子台、１８…調光端子台、１９…ダボ、２１…手挿入穴、２２…放熱開口、２５ａ〜２５ｃ…第１〜第３ランプホルダー、２６…放熱孔、ｇ…間隙。
【手続補正書】
【提出日】平成19年5月23日(2007.5.23)
【手続補正１】
【補正対象書類名】特許請求の範囲
【補正対象項目名】請求項２
【補正方法】変更
【補正の内容】
【請求項２】
請求項１記載のエッチング方法において、上記被エッチング物質は金（Ａｕ）、白金（Ｐｔ）、銀（Ａｇ）、チタン（Ｔｉ）、チタンナイトライド（ＴｉＮ）、酸化チタン（ＴｉＯ）、アルミニウム（Ａｌ）、アルミニウム合金、或いはこれらの膜の積層膜であることを特徴とするエッチング方法。
【手続補正２】
【補正対象書類名】明細書
【補正対象項目名】００３４
【補正方法】変更
【補正の内容】
【００３４】
上記塩素系のエッチング種は、積層膜の各膜であるＴｉＮ膜６、Ａｌ膜３および下地物質の有機膜１０５に対してエッチング作用を呈する。このとき、下地物質である有機膜１０５上に積層されたＴｉＮ膜７の下地物質である有機膜１０５に対する選択比は、有機膜を構成するＣ−Ｃ、Ｃ−Ｈ、あるいはＣ−Ｆの結合エネルギーが酸化膜を構成するＳｉ−Ｏの結合エネルギーより小さいことから、下地物質が酸化膜である場合よりも小さくなる。一般にＴｉＮ膜７の有機膜１０５に対する選択比は２以下である。しかし、ＣＨ２Ｃｌ２の添加量を増加させると有機膜１０５のエッチング速度の低下量がＴｉＮ膜７のエッチング速度の低下量よりも大きくなる領域があり、この領域でエッチングを実施することで、ＴｉＮ膜７を下地物質である有機膜１０５に対して選択的にエッチングできる。
【手続補正３】
【補正対象書類名】明細書
【補正対象項目名】００４３
【補正方法】変更
【補正の内容】
【００４３】
図１５に、Ｃｌ２／ＢＣｌ３／ＣＨ３Ｆ系のガス組成比と各膜種のエッチング速度の実験結果を示す。図中の●でプロットした曲線ＬはＣｌ２／ＢＣｌ３の流量を６０／６０ｍｌ／ｍｉｎで一定とし、ＣＨ３Ｆを０〜３０ｍｌ／ｍｉｎの範囲で変化させたときのＴｉＮ膜のエッチング速度を示す。□でプロットした曲線Ｍは有機膜であるフォトレジスト膜のエッチング速度を示す。
【手続補正４】
【補正対象書類名】明細書
【補正対象項目名】００４６
【補正方法】変更
【補正の内容】
【００４６】
【表６】
2006120983.tif 000001
【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
原版のパターンを基板に投影する投影光学系を有し、該投影光学系の光軸に対し垂直に前記原版と前記基板とを共に移動することにより前記原版のパターンを介して前記基板を露光する露光装置において、
前記原版の面と共役な面に設けられた遮光ブレードと、
前記共役な面内で一方向に前記遮光ブレードを移動させる、固定子と可動子とを有する駆動手段と、
前記駆動手段を支持している支持部とを有し、
前記支持部は、前記一方向に平行な方向に前記固定子を移動可能に支持している、
ことを特徴とする露光装置。
【請求項２】
前記支持部は、前記固定子を前記平行な方向に移動可能に支持する板バネを有し、前記板バネを介して前記駆動手段を支持している、
ことを特徴とする請求項１に記載の露光装置。
【請求項３】
前記支持部は第１の磁石を有し、前記固定子は第２の磁石を有し、前記支持部は、同磁極同士を対向させた前記第１および第２の磁石を介して非接触状態で前固定子を支持している、
ことを特徴とする請求項２に記載の露光装置。
【請求項４】
前記平行な方向に前記固定子に力を加える第２の駆動手段を有し、前記第２の駆動手段により前記固定子の位置を制御する、
ことを特徴とする請求項１乃至３のいずれかに記載の露光装置。
【請求項５】
請求項１乃至４のいずれかに記載の露光装置を用いて基板を露光する工程と、
露光された前記基板を現像する工程と、
を有することを特徴とするデバイス製造方法。
【手続補正２】
【補正対象書類名】明細書
【補正対象項目名】０００１
【補正方法】変更
【補正の内容】
【０００１】
本発明は、パターンを介して基板を露光する露光装置と、それを用いたデバイス製造方法とに関する。
【手続補正３】
【補正対象書類名】明細書
【補正対象項目名】０００６
【補正方法】変更
【補正の内容】
【０００６】
本発明は、上述の問題に鑑みなされたものであり、その目的は遮光ブレードを駆動する際の反力による振動を低減することを目的とする。
【手続補正４】
【補正対象書類名】明細書
【補正対象項目名】０００７
【補正方法】変更
【補正の内容】
【０００７】
上記目的を達成するために、本発明の露光装置は、原版のパターンを基板に投影する投影光学系を有し、該投影光学系の光軸に対し垂直に前記原版と前記基板とを共に移動することにより前記原版のパターンを介して前記基板を露光する露光装置において、前記原版の面と共役な面に設けられた遮光ブレードと、前記共役な面内で一方向に前記遮光ブレードを移動させる、固定子と可動子とを有する駆動手段と、前記駆動手段を支持している支持部とを有し、前記支持部は、前記一方向に平行な方向に前記固定子を移動可能に支持している、ことを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明によれば、遮光ブレードを駆動する際の反力による振動を低減することができる。
【手続補正８】
【補正対象書類名】明細書
【補正対象項目名】００２０
【補正方法】変更
【補正の内容】
【００２０】
ここで、自重補償マグネット８Ｄは、Ｙリニアモーターを自重補償するマグネットであって、同磁極同士を対向させ非接触状態で自重補償可能としている。図３の８Ｄに示すように、自重補償マグネット８Ｄは、支持部である照明系支持ベース１Ａに取り付けられた第１の磁石と、固定子に取り付けられた第２の磁石とから構成されている。８Ｅは、照明系支持ベース１ＡとＹリニアモーター固定子８Ａ間を弾性支持する板バネである。この板バネ８Ｅは、一端が照明系支持ベース１Ａに固着されており、Ｙリニアモーターの推力発生方向に移動可能にＹリニアモーター固定子８Ａを弾性的に支持している。
【手続補正９】
【補正対象書類名】明細書
【補正対象項目名】００２３
【補正方法】変更
【補正の内容】
【００２３】
さらに移動したＹリニアモーター固定子８Ａを、第２の駆動手段である固定子位置制御モーター８Ｆにより整定および戻し位置制御することにより、連続往復動作に対して、Ｙリニアモーター固定子８Ａの位置は略中立位置に維持整定される。
【手続補正１０】
【補正対象書類名】明細書
【補正対象項目名】００２６
【補正方法】変更
【補正の内容】
【００２６】
図４は本発明の実施例２に係るスキャンマスキングブレードユニットの平面図である。上述の実施例１では、Ｙブレード６Ａ，６Ｂの反力を吸収する手段として板バネ８Ｅおよび固定子位置制御モーター８Ｆを設けていたが、これらに加えて、本実施例では第２の駆動手段である固定子位置制御モーター７Ｆを備えている。即ち、本発明の実施例２では、図４に示す様に、Ｘリニアモーター固定子７Ａの両端に対応する位置に板バネ７Ｅが設けられ、Ｘリニアモーター固定子７Ａの一端側に固定子位置制御モーター７Ｆが配置されている。
【手続補正書】
【提出日】平成19年6月14日(2007.6.14)
【手続補正１】
【補正対象書類名】明細書
【補正対象項目名】００４３
【補正方法】変更
【補正の内容】
【００４３】
上記空気抜き口１８には、開度調整可能な開閉バルブＶ6を介設した排気管路８０が接続されており、開閉バルブＶ6の開放によって処理容器１０内の泡が溜まるのを防止している。なお、排気管路８０は、上記排液管路７８に接続されている。
【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】 
タービンエンジンを試験する際のセルのハウルを抑制する方法であって、
流れディストータ（１０２）をエンジンのノズル出口（Ｅ）から所定の軸線方向距離（ＰＡＰ）に配置するとともに、エンジンの排気流路（１１８）中への所定の貫通深さ（Ｐ）に配置する、工程を含み、
前記流れディストータ（１０２）はサポート（１０４）に取り付けられており、前記サポートは前記エンジンのノズル出口に対し距離（ＰＡＰ）の流れディストータを軸線方向に調整できるよう調節可能に構成され、
前記サポートは更に前記排気流路中へ前記流れディストータが突入する距離（Ｐ）を制御するよう調節可能である、
タービンエンジンを試験する際のセルのハウルを抑制する方法。
【請求項２】 
所定の距離（ＰＡＰ）および貫通深さ（Ｐ）は、流れディストータ（１０２）がセルのハウルをなくすように、選択されている、請求項１に記載の方法。
【請求項３】 
所定の距離（ＰＡＰ）および貫通深さ（Ｐ）は、流れディストータ（１０２）がエンジン試験運転に有意な影響を与えないように、選択されている、請求項１に記載の方法。
【請求項４】 
タービンエンジンのノズル出口（Ｅ）から所定の距離に配置するよう構成された流れディストータ（１０２）と、前記流れディストータ（１０２）を所定の位置に維持する流れディストータサポート（１０４）と、を備え、
前記流れディストータサポートは、前記エンジンのノズル出口に対し流れディストータの距離（ＰＡＰ）を軸線方向に調整できるよう調節可能に構成され、
前記流れディストータサポートは更に、前記排気流路に対し前記流れディストータが突入する距離（Ｐ）を制御するよう調節可能である、
エンジン試験セルのハウルを抑制する装置（１００）。
【請求項５】 
前記流れディストータ（１０２）がその内部に冷却水を流すための水通路を含む、請求項４に記載の装置（１００）。
【請求項６】 
前記サポート（１０４）は、基部（１０８）およびこの基部（１０８）から鉛直に延在する第１サポートアーム（１１２）を含み、前記ディストータ（１０２）が前記第１サポートアーム（１１２）に調節自在に固定された、請求項４に記載の装置（１００）。
【請求項７】 
前記サポート（１０４）はさらに、前記基部（１０８）から前記第１サポートアーム（１１２）にある角度で延在する第２サポートアーム（１１４）を含む、請求項６に記載の装置（１００）。
【請求項８】 
前記ディストータ（１０２）がステンレス鋼製である、請求項４に記載の装置（１００）。
【請求項９】 
前記基部（１０８）が炭素鋼製である、請求項４に記載の装置（１００）。
【請求項１０】
前記ディストータ（１０２）の断面形状が正方形である、請求項４に記載の装置（１００）。
【手続補正書】
【提出日】平成19年9月7日(2007.9.7)
【手続補正１】
【補正対象書類名】特許請求の範囲
【補正対象項目名】全文
【補正方法】変更
【補正の内容】
【特許請求の範囲】
【請求項１】
垂直配向型の液晶表示装置であって、
共通電極を有する第１の基板と、
前記第１の基板に対向して配置され、画素電極を有する第２の基板と、
前記第１の基板と前記第２の基板との間に配置され、電圧無印加時に液晶が垂直配向状態をとる液晶層と、を備え、
前記画素電極の外周の２つの辺が互いに平行に延びるとともに、前記２つの辺のそれぞれが第１の方向及び前記第１の方向とは異なる第２の方向に屈曲して延びており、
前記第１及び第２の基板の少なくとも一方が、電圧印加時における液晶分子の配向方向を規制するための配向規制手段であって、前記第１の方向に延びる線状成分及び前記第２の方向に延びる線状成分を含む配向規制手段を備えている液晶表示装置。
【請求項２】
前記配向規制手段が前記画素電極に形成されたスリットを含む、請求項１に記載の液晶表示装置。
【請求項３】
前記配向規制手段が、前記第１の基板及び前記第２の基板の少なくとも一方に形成され、前記第１の方向に延びる線状の突起及び前記第２の方向に延びる線状の突起を含む、請求項１に記載の液晶表示装置。
【請求項４】
前記突起が電極上の誘電体からなる、請求項３に記載の液晶表示装置。
【請求項５】
前記配向規制手段が、前記第１の基板及び前記第２の基板の少なくとも一方の電極に形成されたスリットであって、前記第１の方向に延びるスリット及び前記第２の方向に延びるスリットを含む、請求項１に記載の液晶表示装置。
【請求項６】
前記第１の基板及び前記第２の基板の少なくとも一方がゲートバスラインを備え、
前記ゲートバスラインが、前記第１の方向に延びる部分及び前記第２の方向に延びる部分を含む、請求項１から５のいずれか１項に記載の液晶表示装置。
【請求項７】
前記第１の基板及び前記第２の基板の少なくとも一方がデータバスラインを備え、
前記データバスラインが、前記第１の方向に延びる部分及び前記第２の方向に延びる部分を含む、請求項１から５のいずれか１項に記載の液晶表示装置。
【請求項８】
前記ゲートバスラインが、前記画素電極の前記２つの辺に平行に屈曲して延びる部分を含む、請求項６に記載の液晶表示装置。
【請求項９】
前記データバスラインが、前記画素電極の前記２つの辺に平行に屈曲して延びる部分を含む、請求項７に記載の液晶表示装置。
【請求項１０】
前記配向規制手段が、前記画素電極の前記２つの辺に平行に屈曲して延びる線状成分を含む、請求項１から９のいずれか１項に記載の液晶表示装置。
【請求項１１】
前記第１の方向と前記第２の方向とが略９０°異なる、請求項１から１０のいずれか１項に記載の液晶表示装置。
【請求項１２】
前記第１の基板及び前記第２の基板の両方に前記配向規制手段が形成されている、請求項１から１１のいずれか１項に記載の液晶表示装置。
【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
静電潜像担持体に担持された静電潜像を可視化するための現像剤を担持する現像剤担持体であって、前記現像剤担持体は基体と、該基体表面に形成された樹脂被覆層とを少なくとも有し、前記樹脂被覆層は、少なくとも有機モリブデン化合物を含有することを特徴とする現像剤担持体。
【請求項２】
前記有機モリブデン化合物は硫黄原子を含有する請求項１記載の現像剤担持体。
【請求項３】
前記有機モリブデン化合物が、次の一般式（１）または一般式（２）で表される化合物である請求項２に記載の現像剤担持体：
【化１】
2006301485.tif 000001
【化２】
2006301485.tif 000002
（上記一般式（１）において、Ｒ１〜Ｒ４は、各々炭素数１〜１５のアルキル基であり、Ｒ１〜Ｒ４の合計炭素数が４〜３６であり、Ｘ１〜Ｘ４は各々硫黄原子又は酸素原子を表し、酸素原子：硫黄原子＝１：３〜３：１である。
上記一般式（２）において、Ｒ５〜Ｒ８は、各々炭素数１〜１５のアルキル基であり、Ｘ５〜Ｘ８は、各々硫黄原子または酸素原子を表わし、酸素原子：硫黄原子＝１：３〜３：１である。）。
【請求項４】
前記樹脂被覆層が、フェノール樹脂を含む請求項１乃至３のいずれかに記載の現像剤担持体。
【請求項５】
前記樹脂被覆層が、前記有機モリブデン化合物を含む硬化性のフェノール樹脂溶液を塗布し硬化させたものである請求項４に記載の現像剤担持体。
【請求項６】
現像剤を収容している現像剤容器、及び該現像剤容器に収容されている該現像剤を現像剤担持体上に担持し、静電潜像担持体に対向する現像領域へ前記担持された現像剤を搬送し、現像領域に搬送された現像剤により静電潜像担持体に担持された静電潜像を現像して可視化するための現像装置であって、
前記現像剤担持体が請求項１乃至５の何れかに記載の現像剤担持体であることを特徴とする現像装置。
【手続補正書】
【提出日】平成19年2月7日(2007.2.7)
【手続補正１】
【補正対象書類名】明細書
【補正対象項目名】００６９
【補正方法】変更
【補正の内容】
【００６９】
メッセージＩＤ「００８」は、ＢＧＭ関連商品購買系のメッセージを示すものである。具体的には、メッセージＩＤ「００８」は、図４において示したＢＧＭ関連情報商品購買モジュール３４０から出される商品の購買に関するメッセージである。メッセージＩＤ「００９」は、ＢＧＭ関連商品購買応答系のメッセージを示すものである。具体的には、メッセージＩＤ「００９」は、図４において示したＢＧＭ関連情報商品購買モジュール３４０においてメッセージＩＤ「００８」に対する応答として受け取るべきメッセージである。
【手続補正２】
【補正対象書類名】明細書
【補正対象項目名】００７８
【補正方法】変更
【補正の内容】
【００７８】
図９（ｃ）は、メッセージＩＤが「００９」の場合のメッセージの内容を示す図である。メッセージＩＤ「００９」は、上記のようにＢＧＭ関連情報商品購買モジュール３４０においてメッセージＩＤ「００８」に対する応答として受け取るべきメッセージである。ペイロード４０５中の「結果」には、メッセージＩＤ「００８」における商品購入が成功したか否かが挿入される。図９（ｃ）において、例えば「結果」が「１」の場合は、商品の購入が成功した旨を表し、「結果」が「０」の場合は、商品の購入が失敗した旨を表している。
【手続補正３】
【補正対象書類名】明細書
【補正対象項目名】００９５
【補正方法】変更
【補正の内容】
【００９５】
ＢＧＭ検出モジュール３２０においてＢＧＭデータを識別する情報があると判断されると、次にＢＧＭデータを検出し、ＢＧＭが流れているか否かが判断される（Ｓ９１３）。ＢＧＭが流れていないと判断されるとその直後にＢＧＭが流れ始める旨の情報（ＯＦＦ→ＯＮ）をＢＧＭ関連情報生成モジュール３３０に送信する（Ｓ９１４）。一方、ＢＧＭが流れていると判断されるとステップＳ９１１に戻る。
【手続補正４】
【補正対象書類名】明細書
【補正対象項目名】００９６
【補正方法】変更
【補正の内容】
【００９６】
ＢＧＭデータを識別する情報が検出された後、実際にＢＧＭが流れるまでにはわずかながらタイムラグがある。これを利用してＢＧＭの開始タイミングを検出するものである。
【手続補正５】
【補正対象書類名】明細書
【補正対象項目名】００９７
【補正方法】変更
【補正の内容】
【００９７】
ＢＧＭ検出モジュール３２０においてＢＧＭデータを識別する情報がないと判断されると、次にＢＧＭデータを検出し、ＢＧＭが流れているか否かが判断される（Ｓ９１５）。ＢＧＭが流れていると判断されるとＢＧＭがその直後に流れ終わる旨の情報（ＯＮ→ＯＦＦ）をＢＧＭ関連情報生成モジュール３３０に送信する（Ｓ９１６）。一方、ＢＧＭが流れていないと判断されると再びステップＳ９１１からの処理が繰り返される。
【手続補正６】
【補正対象書類名】明細書
【補正対象項目名】００９８
【補正方法】変更
【補正の内容】
【００９８】
後述するようにＢＧＭが所定時間後に流れ終わる旨の情報（ＯＮ→ＯＦＦ）をＢＧＭ関連情報生成モジュール３３０において受け取るとその後、関連情報生成モジュール３３０は曲情報を非表示にする。字幕情報においてＢＧＭデータを識別する情報が検出された後、所定時間はＢＧＭが流れるがこの所定時間後は、ＢＧＭが流れなくなる。ＢＧＭが流れ終わった後は曲情報を非表示にする必要がある。所定時間後に曲情報を非表示にすべき旨を知らせるため、ステップＳ９１５およびステップＳ９１６を行っている。
【手続補正７】
【補正対象書類名】明細書
【補正対象項目名】００９９
【補正方法】変更
【補正の内容】
【００９９】
図１７は、ＢＧＭ関連情報生成モジュール３３０における処理の流れを示す図である。ＢＧＭ検出モジュール３２０からのメッセージを受信すると（Ｓ９２１）、ＢＧＭ関連情報生成モジュール３３０においてメッセージの内容が判断される（Ｓ９２２）。メッセージの内容が、ＢＧＭが流れ始めた旨の情報（ＯＦＦ→ＯＮ）である場合、ＢＧＭ再生／記録制御要求モジュール３３１は放送データＩＤおよびタイムコードの要求を行い、放送データＩＤおよびタイムコードを取得する（Ｓ９２３）。
【手続補正８】
【補正対象書類名】図面
【補正対象項目名】図９
【補正方法】変更
【補正の内容】
【図９】
2006301448.tif 000001
【手続補正書】
【提出日】平成19年3月27日(2007.3.27)
【手続補正１】
【補正対象書類名】明細書
【補正対象項目名】特許請求の範囲
【補正方法】変更
【補正の内容】
【特許請求の範囲】
【請求項１】  複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄を複数のリールに表示し，前記入賞態様決定手段で決定された入賞態様に応じた図柄組み合わせを有効化入賞ライン上に停止表示する可変表示装置と、
この可変表示装置の可変表示を開始させるスタートレバーと、
前記複数のリールを各リール毎に停止させる複数の停止ボタンと、
前記複数のリール毎に設けられ、前記種々の図柄を背後から照明する複数の光源と、
前記複数のリールが全て停止したことを条件に、前記各光源を所定の表示態様で点灯制御し、前記入賞態様決定手段によって特典ゲームの入賞態様が決定されたことを遊技者に報知する報知手段と、
を備えて構成される遊技機において、
前記確率テーブルには、前記特典ゲームの入賞態様が複数設定されており、
前記報知手段は、前記入賞態様決定手段によって決定された前記特典ゲームの入賞態様がビックボーナスゲームの場合には、前記入賞態様決定手段によって決定された前記特典ゲームの入賞態様がレギュラーボーナスゲームの場合よりも、点灯制御する光源の数を多くすることにより前記所定の表示態様の表示態様を変化させること
を特徴とする遊技機。
【請求項２】  前記報知手段は、前記入賞態様決定手段によって前記特典ゲームの入賞が決定された場合であっても、前記所定の表示態様で報知を行わない場合があり、前記入賞態様決定手段によって前記特典ゲームの入賞態様が決定されていない場合であっても、前記所定の表示態様で報知を行う場合があること
を特徴とする請求項１に記載の遊技機。
【請求項３】  前記報知手段による報知を行うか否かは、前記入賞態様決定手段による決定の結果に基づいて抽選されること
を特徴とする請求項２に記載の遊技機。
【請求項４】前記入賞態様決定手段によって前記特典ゲームの入賞が決定された場合に、前記報知手段により前記所定の表示態様で報知を行う確率は、前記ビックボーナスゲームが決定された場合と、前記レギュラーボーナスゲームが決定された場合とで異なること
を特徴とする請求項２または請求項３に記載の遊技機。
【請求項５】  前記ビックボーナスゲームが決定された場合に前記報知手段が所定の表示態様で報知する確率は、前記レギュラーボーナスゲームが決定された場合に前記報知手段が所定の表示態様で報知する確率よりも低いこと
を特徴とする請求項４に記載の遊技機。
【手続補正２】
【補正対象書類名】明細書
【補正対象項目名】０００７
【補正方法】変更
【補正の内容】
【０００７】
【課題を解決するための手段】
本発明は、このような課題を解決することを目的になされたものであって、この目的は、下記（１）〜（５）の発明によって達成される。
【手続補正３】
【補正対象書類名】明細書
【補正対象項目名】０００８
【補正方法】変更
【補正の内容】
【０００８】
（１）複数の入賞態様からなる確率テーブルを有し、抽出された乱数が前記確率テーブルのいずれかの入賞態様に属したとき、その属した入賞態様の当選フラグを成立させる入賞態様決定手段と、
種々の図柄を複数のリールに表示し，前記入賞態様決定手段で決定された入賞態様に応じた図柄組み合わせを有効化入賞ライン上に停止表示する可変表示装置と、
この可変表示装置の可変表示を開始させるスタートレバーと、
前記複数のリールを各リール毎に停止させる複数の停止ボタンと、
前記複数のリール毎に設けられ、前記種々の図柄を背後から照明する複数の光源と、
前記複数のリールが全て停止したことを条件に、前記各光源を所定の表示態様で点灯制御し、前記入賞態様決定手段によって特典ゲームの入賞態様が決定されたことを遊技者に報知する報知手段と、
を備えて構成される遊技機において、
前記確率テーブルには、前記特典ゲームの入賞態様が複数設定されており、
前記報知手段は、前記入賞態様決定手段によって決定された前記特典ゲームの入賞態様がビックボーナスゲームの場合には、前記入賞態様決定手段によって決定された前記特典ゲームの入賞態様がレギュラーボーナスゲームの場合よりも、点灯制御する光源の数を多くすることにより前記所定の表示態様の表示態様を変化させること
を特徴とする遊技機。
【手続補正４】
【補正対象書類名】明細書
【補正対象項目名】０００９
【補正方法】変更
【補正の内容】
【０００９】
（２）前記報知手段は、前記入賞態様決定手段によって前記特典ゲームの入賞が決定された場合であっても、前記所定の表示態様で報知を行わない場合があり、前記入賞態様決定手段によって前記特典ゲームの入賞態様が決定されていない場合であっても、前記所定の表示態様で報知を行う場合があること
を特徴とする上記（１）に記載の遊技機。
（３）前記報知手段による報知を行うか否かは、前記入賞態様決定手段による決定の結果に基づいて抽選されること
を特徴とする上記（２）に記載の遊技機。
【手続補正５】
【補正対象書類名】明細書
【補正対象項目名】００１０
【補正方法】変更
【補正の内容】
【００１０】
（４）前記入賞態様決定手段によって前記特典ゲームの入賞が決定された場合に、前記報知手段により前記所定の表示態様で報知を行う確率は、前記ビックボーナスゲームが決定された場合と、前記レギュラーボーナスゲームが決定された場合とで異なること
を特徴とする上記（２）または（３）に記載の遊技機。
（５）前記ビックボーナスゲームが決定された場合に前記報知手段が所定の表示態様で報知する確率は、前記レギュラーボーナスゲームが決定された場合に前記報知手段が所定の表示態様で報知する確率よりも低いこと
を特徴とする上記（４）に記載の遊技機。
【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】  光ビームを偏向走査する回転多面鏡と、前記回転多面鏡を支持するフランジ部材と、前記フランジ部材と焼き嵌めによって結合される駆動マグネット及び前記駆動マグネットに対向するステータを有するモータとを備える偏向走査装置であって、前記フランジ部材と前記駆動マグネットの結合部の一端または両端には接着剤が塗布されていることを特徴とする偏向走査装置。
【請求項２】  光ビームを偏向走査する回転多面鏡と、前記回転多面鏡を支持するフランジ部材と、前記フランジ部材と焼き嵌めによって結合される駆動マグネット及び前記駆動マグネットに対向するステータを有するモータとを備える偏向走査装置であって、前記フランジ部材と前記駆動マグネットとの当接面には接着剤が塗布されており、前記フランジ部材と前記駆動マグネットが当接すると前記接着剤の一部が前記フランジ部材と前記駆動部材の当接面の末端にはみ出して硬化することを特徴とする偏向走査装置。
【請求項３】  前記フランジ部材または前記駆動マグネットは、前記フランジ部材と前記駆動マグネットとが当接する当接面内に塗布された接着剤を溜めるための凹所を有することを特徴とする請求項２記載の偏向走査装置。
【手続補正２】
【補正対象書類名】明細書
【補正対象項目名】０００９
【補正方法】変更
【補正の内容】
【０００９】
【課題を解決するための手段】
上記目的を達成するため、本発明の偏向走査装置は、光ビームを偏向走査する回転多面鏡と、前記回転多面鏡を支持するフランジ部材と、前記フランジ部材と焼き嵌めによって結合される駆動マグネット及び前記駆動マグネットに対向するステータを有するモータとを備える偏向走査装置であって、前記フランジ部材と前記駆動マグネットの結合部の一端または両端には接着剤が塗布されていることを特徴とする。
【手続補正３】
【補正対象書類名】明細書
【補正対象項目名】００１０
【補正方法】変更
【補正の内容】
【００１０】
また、光ビームを偏向走査する回転多面鏡と、前記回転多面鏡を支持するフランジ部材と、前記フランジ部材と焼き嵌めによって結合される駆動マグネット及び前記駆動マグネットに対向するステータを有するモータとを備える偏向走査装置であって、前記フランジ部材と前記駆動マグネットとの当接面には接着剤が塗布されており、前記フランジ部材と前記駆動マグネットが当接すると前記接着剤の一部が前記フランジ部材と前記駆動部材の当接面の末端にはみ出して硬化することを特徴とする偏向走査装置でもよい。
【手続補正４】
【補正対象書類名】明細書
【補正対象項目名】００１１
【補正方法】変更
【補正の内容】
【００１１】
前記フランジ部材または前記駆動マグネットは、前記フランジ部材と前記駆動マグネットとが当接する当接面内に塗布された接着剤を溜めるための凹所を有するものでもよい。
【手続補正５】
【補正対象書類名】明細書
【補正対象項目名】００１５
【補正方法】変更
【補正の内容】
【００１５】
また、光ビームを偏向走査する回転多面鏡と、前記回転多面鏡を支持するフランジ部材と、前記フランジ部材と焼き嵌めによって結合される駆動マグネット及び前記駆動マグネットに対向するステータを有するモータとを備える偏向走査装置であって、前記フランジ部材と前記駆動マグネットとの当接面には接着剤が塗布されており、前記フランジ部材と前記駆動マグネットが当接すると前記接着剤の一部が前記フランジ部材と前記駆動部材の当接面の末端にはみ出して硬化することを特徴とする偏向走査装置であれば、駆動マグネットとフランジ部材を結合する前に両者の当接面に適量の接着剤を塗布しておき、焼き嵌め等の工程で結合部からはみ出した接着剤を利用することで、接着剤の塗布工程や硬化工程を大幅に簡略化し、組立コストを低減できるという利点が付加される。
【手続補正６】
【補正対象書類名】明細書
【補正対象項目名】００１６
【補正方法】変更
【補正の内容】
【００１６】
さらに、前記フランジ部材または前記駆動マグネットは、前記フランジ部材と前記駆動マグネットとが当接する当接面内に塗布された接着剤を溜めるための凹所を有していれば、凹所の接着剤によってフランジ部材と駆動マグネットをより一層強固に結合できるという利点がある。
【手続補正書】
【提出日】平成19年1月15日(2007.1.15)
【手続補正１】
【補正対象書類名】明細書
【補正対象項目名】特許請求の範囲
【補正方法】変更
【補正の内容】
【特許請求の範囲】
【請求項１】  音声情報を受信する受信工程と、
受信した音声情報から雑音位置を推定する推定工程と、
推定した雑音位置の音声のパワー情報を抽出する抽出工程と、
抽出したパワー情報を用いて、前記音声情報から音声区間を検出する検出工程とを備えたことを特徴とする情報処理方法。
【請求項２】  前記検出工程は、前記推定工程で推定した雑音位置よりも後の音声情報から音声区間を検出することを特徴とする請求項１記載の情報処理方法。
【請求項３】  前記推定工程は、受信した音声情報の一定期間毎に雑音位置の推定を行うことを特徴とする請求項１記載の情報処理方法。
【請求項４】  前記一定期間は一発声区間とすることを特徴とする請求項３に記載の情報処理方法。
【請求項５】  前記検出工程は、前記抽出したパワー情報と、予め定められた値との間に定める閾値を超えた区間を前記音声区間として検出することを特徴とする請求項１に記載の情報処理方法。
【請求項６】  前記推定工程は、前記音声情報中のパワーが最低の位置を前記雑音位置として推定することを特徴とする請求項１に記載の情報処理方法。
【請求項７】  前記抽出工程で抽出したパワー情報をメモリに記憶する記憶工程と、
前記抽出工程で抽出したパワー情報と、前記メモリに記憶されているパワー情報とを比較し、該抽出したパワー情報の方が、該メモリに記憶されているパワー情報よりも小さい場合に、該抽出したパワー情報をメモリに記憶する更新工程とを更に備え、
前記検出工程は、前記メモリに記憶されているパワー情報を用いて、前記音声情報から音声区間を検出することを特徴とする請求項１に記載の情報処理方法。
【請求項８】  前記音声は電話回線を介して入力する音声とすることを特徴とする請求項１に記載の情報処理方法。
【請求項９】  前記検出した音声区間の音声を認識することを特徴とする請求項１に記載の情報処理方法。
【請求項１０】  前記推定した雑音位置の音声情報を用いて、該雑音位置を含む一定期間よりも後の期間の音声情報からの雑音除去を行うことを特徴とする請求項３に記載の情報処理方法。
【請求項１１】  音声情報を受信する受信工程と、
受信した音声情報から雑音位置を推定する推定工程と、
推定した雑音位置の音声のスペクトル情報を抽出する抽出工程と、
抽出したスペクトル情報を用いて、前記音声情報から雑音除去を行う除去工程とを備えたことを特徴とする情報処理方法。
【請求項１２】  前記推定工程は、前記音声情報の一定期間の音声情報から雑音位置を推定し、
前記除去工程は、前記スペクトル情報を用いて、前記スペクトル情報を抽出した後の前記一定期間に含まれる音声区間から、雑音除去を行うことを特徴とする請求項１１記載の情報処理方法。
【請求項１３】  前記除去工程は、前記推定した雑音位置のパワー情報を用いて次の一定期間の入力音声から音声区間検出を行い、該音声区間から雑音除去を行うことを特徴とする請求項１２に記載の情報処理方法。
【請求項１４】  音声情報を受信する受信手段と、
受信した音声情報から雑音位置を推定する推定手段と、
推定した雑音位置の音声のパワー情報を抽出する抽出手段と、
抽出したパワー情報を用いて、前記音声情報から音声区間を検出する検出手段とを備えたことを特徴とする情報処理装置。
【請求項１５】  音声情報を受信する受信手段と、
受信した音声情報から雑音位置を推定する推定手段と、
推定した雑音位置の音声のスペクトル情報を抽出する抽出手段と、
抽出したスペクトル情報を用いて、前記音声情報から雑音除去を行う除去手段とを備えたことを特徴とする情報処理装置。
【請求項１６】  コンピュータに、
音声情報を受信する受信工程と、
受信した音声情報から雑音位置を推定する推定工程と、
推定した雑音位置の音声のパワー情報を抽出する抽出工程と、
抽出したパワー情報を用いて、前記音声情報から音声区間を検出する検出工程とを実行させるためのプログラムを記憶したコンピュータ読取可能な記憶媒体。
【請求項１７】  コンピュータに、
音声情報を受信する受信工程と、
受信した音声情報から雑音位置を推定する推定工程と、
推定した雑音位置の音声のスペクトル情報を抽出する抽出工程と、
抽出したスペクトル情報を用いて、前記音声情報から雑音除去を行う除去工程とを実行させるためのプログラムを記憶したコンピュータ読取可能な記憶媒体。
【手続補正２】
【補正対象書類名】明細書
【補正対象項目名】００１１
【補正方法】変更
【補正の内容】
【００１１】
上記従来技術の課題を解決するために、本発明にかかるコンピュータ読取可能な記憶媒体は、コンピュータに、音声情報を受信する受信工程と、受信した音声情報から雑音位置を推定する推定工程と、推定した雑音位置の音声のパワー情報を抽出する抽出工程と、抽出したパワー情報を用いて、前記音声情報から音声区間を検出する検出工程とを実行させるためのプログラムを記憶したことを特徴とする。
【手続補正３】
【補正対象書類名】明細書
【補正対象項目名】００１２
【補正方法】変更
【補正の内容】
【００１２】
上記従来技術の課題を解決するために、本発明にかかるコンピュータ読取可能な記憶媒体は、コンピュータに、音声情報を受信する受信工程と、受信した音声情報から雑音位置を推定する推定工程と、推定した雑音位置の音声のスペクトル情報を抽出する抽出工程と、抽出したスペクトル情報を用いて、前記音声情報から雑音除去を行う除去工程とを実行させるためのプログラムを記憶したことを特徴とする。
【手続補正書】
【提出日】平成19年6月29日(2007.6.29)
【手続補正１】
【補正対象書類名】特許請求の範囲
【補正対象項目名】請求項５
【補正方法】変更
【補正の内容】
【請求項５】
前記ハイドロタルサイト粒子の添加量が、トナー粒子１００質量部に対して、０．０３〜３質量部であることを特徴とする請求項１〜４のいずれか１項に記載のトナー。
【手続補正２】
【補正対象書類名】明細書
【補正対象項目名】００１１
【補正方法】変更
【補正の内容】
【００１１】
すなわち、本発明は以下のとおりである。
（１）少なくとも結着樹脂と着色剤とを含有するトナー粒子と、該トナー粒子表面に存在する無機微粉末とを含むトナーにおいて、該無機微粉末のうちの少なくとも一部が１〜３０質量％のジメチルシリコーンオイルで表面処理されているハイドロタルサイト粒子からなり、トナー粒子の平均粒径は４〜９μｍであり、トナー粒子の体積基準粒径の変動係数および個数基準粒径の変動係数はともに４０以下であり、円相当径が０．６〜２μｍにあるトナー粒子の含有量は５〜３５個数％であり、トナー粒子の平均円形度は０．９５〜０．９９であることを特徴とするトナー。
（２）前記ハイドロタルサイト粒子が、ステアリン酸でも表面処理されていることを特徴とする（１）に記載のトナー。
（３）前記ハイドロタルサイト粒子が、１〜３０質量％のジメチルシリコーンオイルとメチルハイドロジェンシリコーンオイルとの混合物で表面処理されていることを特徴とする（１）又は（２）に記載のトナー。
（４）前記ハイドロタルサイト粒子の疎水化度が、３０〜９５％であることを特徴とする（１）〜（３）のいずれかに記載のトナー。
（５）前記ハイドロタルサイト粒子の添加量が、トナー粒子１００質量部に対して、０．０３〜３質量部であることを特徴とする（１）〜（４）のいずれかに記載のトナー。
（６）前記ハイドロタルサイト粒子のＢＥＴ比表面積が、２〜１５ｍ２／ｇであることを特徴とする（１）〜（５）のいずれかに記載のトナー。
（７）前記ハイドロタルサイト粒子の平均１次粒径が、０．１〜１μｍであることを特徴とする（１）〜（６）のいずれかに記載のトナー。
（８）前記ハイドロタルサイト粒子の乾燥減量が、０．１〜５％であることを特徴とする
（１）〜（７）のいずれかに記載のトナー。
（９）前記トナー粒子に対して、前記ハイドロタルサイト粒子を含む無機微粉末が、総量で０．５〜５質量％含有されていることを特徴とする（１）〜（８）のいずれかに記載のトナー。
【手続補正書】
【提出日】平成19年5月23日(2007.5.23)
【手続補正１】
【補正対象書類名】明細書
【補正対象項目名】００３３
【補正方法】変更
【補正の内容】
【００３３】
また、図６の時計方向においてラインｃ−ｄによって形成される第１傾斜面６５ｃ，６６ｃ，６７ｃは、突条部６５では光軸先端方向に向けて傾斜され、突条部６６，６７では光軸後端方向に向けて傾斜されている。同様に、ラインｅ−ｆによって形成される第２傾斜面６５ｅ，６６ｅ，６７ｅは、突条部６６では光軸先端方向に、突条部６５，６７では光軸後端方向に傾斜されている。更に、ラインｇ−ｈによって形成される第３傾斜面６５ｇ，６６ｇ，６７ｇは、突条部６７では光軸先端方向に、突条部６５，６６では光軸後端方向に傾斜されている。
【手続補正２】
【補正対象書類名】明細書
【補正対象項目名】００４５
【補正方法】変更
【補正の内容】
【００４５】
なお、上記実施形態では、鏡室部４６の被係合部６０と移動枠４７の係合爪５７とによって仮結合を行なったが、図１３に示すように、鏡室部９０と移動枠９１との外周に突出部９０ａ，９１ａをそれぞれ設け、これらの突出部９０ａ，９１ａを金属の薄板等で形成された弾性体９２で挟み込むことによって両者を結合することもできる。
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
レーザ光源と、
該レーザ光源から出射されたレーザ光を２次元走査する２次元走査機構と、
２次元走査されたレーザ光を観察試料に集光する対物レンズと、
前記観察試料からの反射光あるいは蛍光を受光する第１受光素子とを有する走査型レーザ顕微鏡において、
前記第１受光素子の受光面近傍に、前記反射光あるいは蛍光を拡散させる第１光拡散用光学素子が配置されていることを特徴とする走査型レーザ顕微鏡。
【請求項２】
第２受光素子を有する非共焦点光学系を備え、
該非共焦点光学系の光路上に、フレア光を除去する絞り装置が設けられていることを特徴とする請求項１に記載の走査型レーザ顕微鏡。
【請求項３】
第２受光素子を有する非共焦点光学系を備え、
前記第２受光素子の受光面近傍に、前記観察試料からの反射光あるいは蛍光を拡散させる第２光拡散用光学素子が配置されていることを特徴とする請求項１に記載の走査型レーザ顕微鏡。
【請求項４】
前記第１受光素子の近傍には、ピンホールが設けられ、
該ピンホールは、前記対物レンズの焦点位置と共役な位置に配置されていることを特徴とする請求項１記載の走査型レーザ顕微鏡。
【請求項５】
前記第１光拡散用光学素子は、前記第１受光素子と前記ピンホールとの間に配置されていることを特徴とする請求項４記載の走査型レーザ顕微鏡。
【請求項６】
受光面で光を受光する受光素子であって、
前記受光面近傍に、受光する光を拡散させる光拡散用光学素子が配置されていることを特徴とする受光素子。
【手続補正２】
【補正対象書類名】明細書
【補正対象項目名】０００７
【補正方法】変更
【補正の内容】
【０００７】
本発明は、前記課題を解決するために以下の構成を採用した。すなわち、本発明にかかる走査型レーザ顕微鏡は、レーザ光源と、該レーザ光源から出射されたレーザ光を２次元走査する２次元走査機構と、２次元走査されたレーザ光を観察試料に集光する対物レンズと、前記観察試料からの反射光あるいは蛍光を受光する第１受光素子とを有する走査型レーザ顕微鏡において、前記第１受光素子の受光面近傍に、前記反射光あるいは蛍光を拡散させる第１光拡散用光学素子が配置されていることを特徴とする。
【手続補正３】
【補正対象書類名】明細書
【補正対象項目名】０００８
【補正方法】変更
【補正の内容】
【０００８】
この発明にかかる走査型レーザ顕微鏡では、レーザ光源から出射したレーザ光を、対物レンズで集光して観察試料上に照射し、観察試料からの反射光あるいは蛍光である観察光を第１受光素子で受光して受光量に応じた信号に変換する。そして、２次元走査機構で観察試料上におけるレーザ光の照射位置を適宜変更することで観察試料上を２次元走査し、観察画像を得る。ここで、受光する光が第１光拡散用光学素子によって拡散され、受光面上でスポット光とならないので、受光面における受光面積が増大する。これにより、受光面の各部位における検出感度の不均一性や検出効率の線形性の劣化の影響を受けずに、正確なＩＺカーブを求めることができる。
したがって、相対距離が焦点位置にあったときの第１受光素子からの出力信号が減衰することを回避し、ピントがあったときの観察画像の明度が向上するので、高画質な観察画像を提供することができる。
また、観察試料のピント位置をＩＺカーブのピーク位置から自動的に調整する機能であるオートフォーカス機能を用いることができ、相対距離の焦点位置からのずれ量を正確に求めることができる。
【手続補正４】
【補正対象書類名】明細書
【補正対象項目名】００１０
【補正方法】変更
【補正の内容】
【００１０】
また、本発明にかかる走査型レーザ顕微鏡は、第２受光素子を有する非共焦点光学系を備え、前記第２受光素子の受光面近傍に、前記観察試料からの反射光あるいは蛍光を拡散させる第２光拡散用光学素子が配置されていることが好ましい。
また、本発明にかかる走査型レーザ顕微鏡は、前記第１受光素子の近傍には、ピンホールが設けられ、該ピンホールは、前記対物レンズの焦点位置と共役な位置に配置されていることが好ましい。
また、本発明にかかる走査型レーザ顕微鏡は、前記第１光拡散用光学素子は、前記第１受光素子と前記ピンホールとの間に配置されていることが好ましい。
【手続補正書】
【提出日】平成19年6月18日(2007.6.18)
【手続補正１】
【補正対象書類名】特許請求の範囲
【補正対象項目名】請求項１１
【補正方法】変更
【補正の内容】
【請求項１１】
請求項１０に記載の電子教材学習支援プログラムにおいて、
ネットワークに接続された教材サーバに格納された教材ＤＢにアクセスすると共に前記教材ＤＢに記録された前記教材ファイルを受け取る通信手段として機能させるプログラムをさらに備えて構成されたことを特徴とする電子教材学習支援プログラム。
【手続補正２】
【補正対象書類名】明細書
【補正対象項目名】０００７
【補正方法】変更
【補正の内容】
【０００７】
この点、学習者端末に向かった学習者の学習状態に応じて学習を進めることが可能な学習システムが提案されている（特開２００３−３３７５２８）。
当該学習システムの骨子は、概略以下の通りである。すなわち、
（１）カメラを備えた学習者端末と、学習用のコンテンツを格納したサーバで構成されており、学習者端末のカメラで撮影された目線を含む学習者画像をサーバに送信し、サーバはその画像データから学習者の状態を判断して対応するコンテンツを学習者端末に送信、画面に表示する。
（２）学習者端末の画面のクリックデータをサーバに送信し、サーバは、受信した画像と合わせて学習者の状態判断に用いる。
【手続補正３】
【補正対象書類名】明細書
【補正対象項目名】０００８
【補正方法】変更
【補正の内容】
【０００８】
【特許文献１】特開２００３−３３７５２８号公報
【手続補正４】
【補正対象書類名】明細書
【補正対象項目名】００２０
【補正方法】変更
【補正の内容】
【００２０】
上記課題を解決するために請求項１１に記載の発明は、請求項１０に記載の電子教材学習支援プログラムにおいて、ネットワークに接続された教材サーバに格納された教材ＤＢにアクセスすると共に教材ＤＢに記録された教材ファイルを受け取る通信手段として機能させるプログラムをさらに備えて構成されたことを特徴とする。
上記課題を解決するために請求項１２に記載の発明は、請求項１１に記載の電子教材学習支援プログラムにおいて、ネットワークを介して他のコンピュータと互いに通信を可能とするプログラムをさらに備えて構成されたことを特徴とする。